(57)【要約】【課題】ユーザインターフェース画面上の共通の印刷装置の標準プレビュー領域に表示すると、小さく表示される印刷装置に対して拡大表示を行って給紙部を指し示すことができるようにする。【解決手段】プリンタドライバのユーザインターフェース（ＵＩ）画面を開いて、「給紙」シートを選択する。標準プレビュー領域に表示すべき印刷装置の全長/高さの比率が２以上であった場合には、全長（横）または高さ（縦）方向で一定以上の大きさが確保できない印刷装置であるので、拡大プレビュー表示を行なうための“デバイスプレビュー”ボタンを表示する。このボタンが選択されると、印刷装置の全長/高さと同等の別ウィンドウに印刷装置を拡大表示し、給紙部を指し示すことができるようになる。【選択図】図８
2007115046.tif 000002
【特許請求の範囲】
【請求項１】
印刷装置における印刷処理のための複数の設定を行う情報処理装置であって、
表示手段上に前記印刷処理のための少なくとも１つの設定が可能な領域と、前記印刷装置の構成を表すプレビュー画像を表示するためのプレビュー領域とを有する第１のユーザインターフェース画面を表示する設定画面表示手段と、
前記設定画面表示手段により表示された第１のユーザインタフェース画面を介して、前記印刷処理のための少なくとも１つの設定を行うための指示情報を入力する指示手段と、
前記印刷装置にオプション構成が装着されることにより前記印刷装置の構成を表すプレビュー画像が前記プレビュー領域に表示できない場合に、前記第１のユーザインターフェース画面上に、前記プレビューより大きい前記印刷装置の拡大プレビューを別画面で表示するか否かを選択可能にする拡大指示領域を表示する拡大指示表示手段と、
前記拡大指示領域が選択された場合は前記表示手段上に、前記印刷装置の構成を表す詳細プレビュー画像を表示するための第２プレビュー領域を有する第２のユーザインターフェース画面を表示する構成画像表示手段と
を具えることを特徴とする情報処理装置。
【請求項２】
請求項１において、前記第２のユーザインターフェース画面上の前記印刷装置の構成を表す詳細プレビューを介して、前記印刷装置に関しての所定の設定を可能にする領域を有することを特徴とする情報処理装置。
【請求項３】
請求項１または２において、前記第２のユーザインターフェース画面上の前記印刷装置の構成を表す詳細プレビューを表示した領域の大きさは、前記印刷装置の構成を表すプレビュー画像の縦横比率に応じて決定することを特徴とする情報処理装置。
【請求項４】
請求項３において、前記第２のユーザインターフェース画面上の前記印刷装置の構成を表す詳細プレビューを表示した領域の大きさは、縦横の短い方の一定の長さ以上で表示することを特徴とする情報処理装置。
【請求項５】
請求項１乃至４のいずれかにおいて、
前記第２のユーザインターフェース画面上の、前記印刷装置に関しての所定の設定を可能にする領域は、前記印刷装置上の給紙部における給紙方法を設定する領域であることを特徴とする情報処理装置。
【請求項６】
印刷装置における印刷処理のための複数の設定を行う情報処理方法であって、
表示手段上に前記印刷処理のための少なくとも１つの設定が可能な領域と、前記印刷装置の構成を表すプレビュー画像を表示するためのプレビュー領域とを有する第１のユーザインターフェース画面を表示し、
前記表示された第１のユーザインタフェース画面を介して、前記印刷処理のための少なくとも１つの設定を行うための指示情報を入力し、
前記印刷装置にオプション構成が装着されることにより前記印刷装置の構成を表すプレビュー画像が前記プレビュー領域に表示できない場合に、前記第１のユーザインターフェース画面上に、前記プレビューより大きい前記印刷装置の拡大プレビューを別画面で表示するか否かを選択可能にする拡大指示領域を表示し、
前記拡大指示領域が選択された場合は前記表示手段上に、前記印刷装置の構成を表す詳細プレビュー画像を表示するための第２プレビュー領域を有する第２のユーザインターフェース画面を表示する、
各ステップを具えることを特徴とする情報処理方法。
【請求項７】
請求項６において、前記第２のユーザインターフェース画面上の前記印刷装置の構成を表す詳細プレビューを介して、前記印刷装置に関しての所定の設定を可能にする領域を表示することを特徴とする情報処理方法。
【請求項８】
請求項６または７において、前記第２のユーザインターフェース画面上の前記印刷装置の構成を表す詳細プレビューを表示した領域の大きさは、前記印刷装置の構成を表すプレビュー画像の縦横比率に応じて決定することを特徴とする情報処理方法。
【請求項９】
請求項８において、前記第２のユーザインターフェース画面上の前記印刷装置の構成を表す詳細プレビューを表示した領域の大きさは、縦横の短い方の一定の長さ以上で表示することを特徴とする情報処理方法。
【請求項１０】
請求項６乃至９のいずれかにおいて、
前記第２のユーザインターフェース画面上の、前記印刷装置に関しての所定の設定を可能にする領域は、前記印刷装置上の給紙部における給紙方法を設定する領域であることを特徴とする情報処理方法。
【請求項１１】
印刷装置における印刷処理のための複数の設定を行う情報処理プログラムであって、
表示手段上に前記印刷処理のための少なくとも１つの設定が可能な領域と、前記印刷装置の構成を表すプレビュー画像を表示するためのプレビュー領域とを有する第１のユーザインターフェース画面を表示し、
前記表示された第１のユーザインタフェース画面を介して、前記印刷処理のための少なくとも１つの設定を行うための指示情報を入力し、
前記印刷装置にオプション構成が装着されることにより前記印刷装置の構成を表すプレビュー画像が前記プレビュー領域に表示できない場合に、前記第１のユーザインターフェース画面上に、前記プレビューより大きい前記印刷装置の拡大プレビューを別画面で表示するか否かを選択可能にする拡大指示領域を表示し、
前記拡大指示領域が選択された場合は前記表示手段上に、前記印刷装置の構成を表す詳細プレビュー画像を表示するための第２プレビュー領域を有する第２のユーザインターフェース画面を表示する、
各ステップをコンピュータに実行させることを特徴とする情報処理プログラム。
【請求項１２】
請求項１１において、前記第２のユーザインターフェース画面上の前記印刷装置の構成を表す詳細プレビューを介して、前記印刷装置に関しての所定の設定を可能にする領域を表示するステップをコンピュータに実行させることを特徴とする情報処理プログラム。
【請求項１３】
請求項１１または１２において、前記第２のユーザインターフェース画面上の前記印刷装置の構成を表す詳細プレビューを表示した領域の大きさは、前記印刷装置の構成を表すプレビュー画像の縦横比率に応じて決定することを特徴とする情報処理プログラム。
【請求項１４】
請求項１３において、前記第２のユーザインターフェース画面上の前記印刷装置の構成を表す詳細プレビューを表示した領域の大きさは、縦横の短い方の一定の長さ以上で表示することを特徴とする情報処理プログラム。
【請求項１５】
請求項１１乃至１４のいずれかにおいて、
前記第２のユーザインターフェース画面上の、前記印刷装置に関しての所定の設定を可能にする領域は、前記印刷装置上の給紙部における給紙方法を設定する領域であることを特徴とする情報処理プログラム。
【発明の詳細な説明】
【技術分野】
【０００１】
本発明は、情報処理装置及び方法並びに情報処理プログラムに関するものである。特に、オペレーティングシステム（OS）上のアプリケーションソフトウェアから印刷装置に印刷を行う印刷システム、例えば、印刷装置のプレビューからの印刷設定を可能にするプリンタドライバ制御に特徴を有するものである。
【背景技術】
【０００２】
ＯＳ上で動作するアプリケーションからプリンタ等の印刷装置に印刷処理を行うためのソフトウェアとしてプリンタドライバと呼ばれるソフトウェアがあり、給紙カセットの選択、排紙方法の選択、片面印刷/両面印刷などの数多くの設定が可能となっている。しかし、多くの給紙カセット、排紙先を有する印刷装置では、装置の構成が複雑なために、適切な設定をすることが困難であった。そのために、プリンタドライバ上の印刷装置の標準プレビューを表示し、プレビュー上から給紙段、排紙先の設定を可能としていた。これにより、印刷に関する多くの設定を、プリンタドライバの最上位の階層で設定することが可能であった。
【０００３】
現在のプリンタドライバは、さまざまな印刷装置に対して汎用的に作成できるように、ユーザインタフェースの共通の設計が施されているため、標準プレビュー表示領域に印刷装置のプレビュー表示を行なっている（特許文献１参照）。
【０００４】
【特許文献１】特開２００１−２８２４７０号公報
【発明の開示】
【発明が解決しようとする課題】
【０００５】
しかし、印刷装置の大型化が進み、例えば、印刷から複雑な製本処理までをインライン（一連の処理）で可能とするためには、排紙オプション装置として、くるみ製本装置、フィニッシング装置、排紙トレイ装置等のオプション装置を直列的に接続する必要がある。そのため、印刷装置に複数のオプション構成が排紙パス上に直列的に接続される場合、横長の印刷装置となってしまうため、従来の標準プレビュー領域に表示しようとすると、とても小さな表示となってしまう。このため、印刷装置のプレビュー上の給紙部を指し示して給紙カセットの選択を行なうことが困難となってしまっていた。
【０００６】
そこで、本発明の目的は以上のような問題を解消した情報処理装置及び方法並びに情報処理プログラムを提供することにある。
【課題を解決するための手段】
【０００７】
本発明は、印刷装置における印刷処理のための複数の設定を行う情報処理装置であって、表示手段上に前記印刷処理のための少なくとも１つの設定が可能な領域と、前記印刷装置の構成を表すプレビュー画像を表示するためのプレビュー領域とを有する第１のユーザインターフェース画面を表示する設定画面表示手段と、前記設定画面表示手段により表示された第１のユーザインタフェース画面を介して、前記印刷処理のための少なくとも１つの設定を行うための指示情報を入力する指示手段と、前記印刷装置にオプション構成が装着されることにより前記印刷装置の構成を表すプレビュー画像が前記プレビュー領域に表示できない場合に、前記第１のユーザインターフェース画面上に、前記プレビューより大きい前記印刷装置の拡大プレビューを別画面で表示するか否かを選択可能にする拡大指示領域を表示する拡大指示表示手段と、前記拡大指示領域が選択された場合は前記表示手段上に、前記印刷装置の構成を表す詳細プレビュー画像を表示するための第２プレビュー領域を有する第２のユーザインターフェース画面を表示する構成画像表示手段とを具えることを特徴とする。
【発明の効果】
【０００８】
本発明によれば、印刷装置のプレビュー画像を表示するウィンドウ画面とは別ウィンドウ画面である、第２のユーザインターフェース画面上に、印刷装置のオプション構成を示す詳細プレビュー表示を行うことで、操作者に、印刷装置のオプション構成を視覚的に認識させることが可能になる。
【発明を実施するための最良の形態】
【０００９】
以下、本発明を適用するのに好適である実施例について説明を行う。
【００１０】
図１は本発明の実施例を示すプリンタ制御システムの構成を説明するブロック図である。なお、特に断らない限り、本発明の機能が実行されるのであれば、単体の機器であっても、複数の機器からなるシステムであってもよい。また、ＬＡＮ,ＷＡＮ等のネットワークを介して接続が為され処理が行われるシステムであっても本発明を適用できることは言うまでもない。
【００１１】
図１において、３０００はホストコンピュータで、ＲＯＭ３のプログラム用ＲＯＭあるいは外部メモリ１１に記憶された、図９に示す如き本発明実施例に係る制御手順を含むプログラムに従って情報処理を実行するＣＰＵ１を備えている。ＣＰＵ１は、システムバス４に接続される各デバイスを総括的に制御する。また、このＲＯＭ３のプログラム用ＲＯＭあるいは外部メモリ１１には、ＣＰＵ１の制御プログラムであるオペレーティングシステムプログラム（以下ＯＳ）等が記憶されている。ＲＯＭ３のフォント用ＲＯＭあるいは外部メモリ１１には上記情報処理の際に使用するフォントデータ等を記憶し、ＲＯＭ３のデータ用ＲＯＭあるいは外部メモリ１１には上記情報処理等を行う際に使用する各種データを記憶する。２はＲＡＭで、ＣＰＵ１の主メモリ、ワークエリア等として機能する。５はキーボードコントローラ（ＫＢＣ）で、キーボード９や不図示のポインティングデバイスからのキー入力を制御する。６はＣＲＴコントローラ（ＣＲＴＣ）で、ＣＲＴディスプレイ（ＣＲＴ）１０の表示を制御する。７はディスクコントローラ（ＤＫＣ）である。このＤＫＣ７は、以下のような情報を記憶するハードディスク（ＨＤ）、フロッピー（登録商標）ディスク（ＦＤ）等の外部メモリ１１とのアクセスを制御する。すなわち、外部メモリ１１は、ブートプログラム、各種のアプリケーション、フォントデータ、ユーザファイル、編集ファイル、プリンタ制御コマンド生成プログラム（以下プリンタドライバ）等を記憶する。８はプリンタコントローラ（ＰＲＴＣ）で、所定の双方向性インターフェース（インターフェース）２１を介してプリンタ１５００に接続されて、プリンタ１５００との通信制御処理を実行する。なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウインドウ（ユーザインターフェースとして機能する）をＣＲＴ１０上に開き、種々のデータ処理を実行する。ユーザは印刷を実行する際、プリンタドライバをＲＡＭ２上にロードし、印刷の設定に関するウインドウ（詳細は後述するユーザインターフェース画面）をＣＲＴ１０上に開く。そして、ウインドウ上で、キーボード９やポインティングデバイスからのキー入力を用いて、本発明の特徴である給紙段の設定を含むプリンタの設定や、印刷モードの選択を含むプリンタドライバに対する印刷処理方法の設定を行うことができる。
【００１２】
プリンタ１５００において、１２はプリンタＣＰＵである。ＣＰＵ１２は、ＲＯＭ１３のプログラム用ＲＯＭに記憶された制御プログラム等あるいは外部メモリ１４に記憶された制御プログラム等に基づいてシステムバス１５に接続される印刷部（プリンタエンジン）１７に出力情報としての画像信号を出力する。また、このＲＯＭ１３のプログラムＲＯＭには、ＣＰＵ１２の制御プログラム等を記憶する。ＲＯＭ１３のフォント用ＲＯＭには上記出力情報を生成する際に使用するフォントデータ等を記憶し、ＲＯＭ１３のデータ用ＲＯＭにはハードディスク等の外部メモリ１４がないプリンタの場合には、ホストコンピュータ上で利用される情報等を記憶している。ＣＰＵ１２は入力部１８を介してホストコンピュータとの通信処理が可能となっており、プリンタ内の情報等をホストコンピュータ３０００に通知可能に構成されている。１９はＣＰＵ１２の主メモリ、ワークエリア等として機能するＲＡＭで、図示しない増設ポートに接続されるオプションＲＡＭによりメモリ容量を拡張することができるように構成されている。なお、ＲＡＭ１９は、出力情報展開領域、環境データ格納領域、ＮＶＲＡＭ等に用いられる。前述したハードディスク（ＨＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。また、１５０１は操作パネルで、操作のためのスイッチおよびＬＥＤ表示器等が配されている。前述した外部メモリは１個に限らず、少なくとも１個以上備え、内蔵フォントに加えてオプションフォントカード、言語系の異なるプリンタ制御言語を解釈するプログラムを格納した外部メモリを複数接続できるように構成されていてもよい。さらに、図示しないＮＶＲＡＭを有し、操作パネル１５０１からのプリンタモード設定情報を記憶するようにしてもよい。また、本実施例のプリンタ等の印刷装置は、くるみ製本装置、フィニッシング装置、排紙トレイ装置等の複数の排紙オプション構成を直列的に接続することが可能である。
【００１３】
図２は、プリンタ等の印刷装置が直接接続されているか、あるいはネットワーク経由で接続されているホストコンピュータにおける典型的な印刷処理の構成図である。アプリケーション２０１、グラフィックエンジン２０２、プリンタドライバ２０３、およびシステムスプーラ２０４は、外部メモリ１１に保存されたファイルとして存在する。これらのファイルは、実行される場合にＯＳやそのモジュールを利用するモジュールによってＲＡＭ２にロードされ実行されるプログラムモジュールである。また、アプリケーション２０１およびプリンタドライバ２０３は、外部メモリ１１のＦＤや不図示のＣＤ−ＲＯＭ、あるいは不図示のネットワークを経由して外部ディスク１１のＨＤに追加することが可能となっている。外部メモリ１１に保存されているアプリケーション２０１はＲＡＭ２にロードされて実行される。このアプリケーション２０１からプリンタ１５００に対して印刷を行う際には、同様にＲＡＭ２にロードされ実行可能となっているグラフィックエンジン２０２を利用して出力（描画）を行う。グラフィックエンジン２０２は印刷装置ごとに用意されたプリンタドライバ２０３を同様に外部メモリ１１からＲＡＭ２にロードし、アプリケーション２０１の出力をプリンタドライバ２０３を用いてプリンタの制御コマンドに変換する。変換されたプリンタ制御コマンドはＯＳによってＲＡＭ２にロードされたシステムスプーラ２０４を経てインターフェース２１経由でプリンタ１５００へ出力される仕組みとなっている。
【００１４】
図３に示すのが、プリンタドライバの「給紙」シートに設けられた印刷装置の標準プレビュー領域３０の画面例である。図３がマウスにより給紙部を指し示した際の表示例であり、この時にマウスで左クリックすると図４に示すようにその給紙段が設定される（図中、３１で示す）。図５は、印刷装置のプレビュー領域３０の画面の任意の場所をマウスで右クリックした際の排紙方法設定の表示例である（図中、３２で示す）。
【００１５】
図６に示すのが、横長の印刷装置を標準プレビュー領域３０に表示した場合の表示例である。従来のプレビュー領域と表示する印刷装置の縦横比に大きな差があるために、プレビューの給紙部を指し示して給紙段を設定することが困難である。
【００１６】
図７に示すのが、標準プレビュー領域には印刷装置の主要部分の概要図を表示し、詳細プレビュー（以下、拡大プレビューと呼ぶ）を表示するための“デバイスプレビュー”ボタン３３を設けた表示例である。図８に示すのが、“デバイスプレビュー”ボタン３３が選択された場合に別ウィンドウに表示される印刷装置の拡大プレビュー表示画面３４である。
【００１７】
図７の標準プレビューでは、任意の場所をマウスにより右クリックすることで、排紙方法の設定が可能となっている。図８の拡大プレビューでは、印刷装置のプレビューの給紙部をマウス３５で指し示し、左クリックすると給紙段の設定が可能となっている。
【００１８】
以下、図９のフローチャートを利用して、本実施例の制御について説明する。図９は、外部メモリ１１に格納されているプリンタドライバ２０３がＲＡＭ２に展開され、展開されたプリンタドライバプログラムに基づいて、ＣＰＵ１により演算処理されることで実現される。以下、プリンタドライバ２０３の処理として説明する。
【００１９】
まず、プリンタドライバ２０３は、印刷装置の現在のオプション構成を取得し、印刷装置の全長と高さの比率を求める。プリンタドライバ２０３は、オプション構成の種類毎に、印刷装置に対する長さの情報を保持しているものとする。これにより、プリンタドライバ２０３は、取得した印刷装置の現在のオプション構成の種類に応じて、印刷装置の全長（印刷装置とオプション構成を含めた長さ）と高さの比率を求めることができる。ここで、本実施例では、全構成を含めた印刷装置の全長/高さが２以上であった場合には、プレビューの拡大表示を行なうものとする。実施例として説明する印刷装置では、２以上であるため、プレビューの拡大表示機能行なうものとする。
【００２０】
次に、プレビューの表示とプレビュー上からの印刷方法の設定制御について説明を行なう。
【００２１】
キーボード９や不図示のポインティングデバイスからのキー入力によってプリンタドライバが起動され、プリンタドライバのユーザインターフェース（ＵＩ）画面が開かれると以下の処理を行う。まず、プリンタドライバ２０３は、印刷装置のプレユー画像を表示する領域を含む「給紙」シートが選択されたか判断する（７−１）。「給紙」シートが選択されると、プリンタドライバ２０３は、標準プレビュー領域３０に表示すべき印刷装置の全長/高さの比率が２以上かどうかを確認する（７−２）。ここで、印刷装置からオプション構成の取得処理や、縦横比の計算処理は、このタイミングで行われてもよし、事前に行っておいてもよい。ここで、比率が２以上であった場合には、図７に示したように、標準プレビュー領域に印刷装置の概略図を表示し、標準プレビュー領域３０からの給紙段設定を禁止する（７−３）。
【００２２】
また、拡大プレビュー表示を行なうための“デバイスプレビュー”ボタン３３も操作可能にアクティブ表示する（７−４）。全長/高さが２未満の場合には、標準プレビュー領域３０に装置全体を表示し（７−５）、標準プレビュー領域３０から給紙段の設定と排紙方法の設定を可能とし、ボタン３３は、非表示にされるかグレイアウト表示される。
【００２３】
“デバイスプレビュー”ボタン３３が選択される（７−６）と、図８に示したような印刷装置の全長/高さと同等の別ウィンドウとし、装置の高さと長さを比較して、短い方が100dotとなるように表示する（７−７）。図３または図８に示したように、この印刷装置のプレビュー上で給紙部がマウスで指し示されたかをプリンタドライバ２０３が判断する（７−８）。給紙部が指し示されたと判断すると、プリンタドライバ２０３は、ツールチップを用いて、給紙部情報３６を表示し（７−９）、マウスが給紙部から外れたと判断するとツールチップの表示を消去する（７−１１）。
【００２４】
また、図４、または図８で示したように、マウスで標準プレビュ−、または拡大プレビューの給紙部を指し示すことにより給紙段の設定が行なわれる（７−１１）と、給紙段として設定を保存（７−１２）する。図５、または図７に示したように標準プレビュー領域をマウスで右クリックする（７−１３）ことにより、排紙方法の設定が行なわれる（７−１４）。
【００２５】
すべての設定が完了すると、両プレビューで設定した内容を足し合わせて印刷設定として保存する（７−１５）。
【００２６】
このように、本実施例によれば、例えば、第１のユーザインターフェース画面上の共通の印刷装置の標準プレビュー領域に表示すると全長（横）または高さ（縦）方向で一定以上の大きさが確保できない印刷装置に対して次の効果が得られる。すなわち、印刷装置のプレビュー画像を表示するウィンドウ画面とは別ウィンドウ画面である、第２のユーザインターフェース画面上に、印刷装置のオプション構成を示す詳細プレビュー表示を行うことで、操作者に、印刷装置のオプション構成を視覚的に認識させることが可能となる。
そして、この拡大表示した印刷装置の給紙部を指し示すことにより給紙段の設定ことが可能になる。また、第１のユーザインターフェース画面上に表示される標準プレビュー領域では排紙方法の設定ができるので、両プレビューの設定を足し合わせて給紙、排紙の設定を可能とすることができる。
【図面の簡単な説明】
【００２７】
【図１】本発明の実施例にかかる印刷制御装置の構成を説明するブロック図である。
【図２】ホストコンピュータにおける典型的な印刷データ生成方法を説明するブロック図である。
【図３】プリンタドライバＵＩ上の印刷装置の標準プレビューの表示例を示す図である。
【図４】標準プレビューからの給紙段設定方法を示した図である。
【図５】標準プレビューからの排紙方法の設定方法を示した図である。
【図６】横長の印刷装置を標準プレビューに表示した場合の例を示した図である。
【図７】本発明である標準プレビューの表示例を示した図である。
【図８】本発明である拡大プレビューの表示例を示した図である。
【図９】本発明の制御を説明するためのフローチャートである。
【符号の説明】
【００２８】
１    ＣＰＵ
２    ＲＡＭ
３    ＲＯＭ
４    システムバス
１２    ＣＰＵ
１３    ＲＯＭ
１９    ＲＡＭ
３０００    ホストコンピュータ
１５００      プリンタ
【図１】
2007115046.tif 000003
【図２】
2007115046.tif 000004
【図３】
2007115046.tif 000005
【図４】
2007115046.tif 000006
【図５】
2007115046.tif 000007
【図６】
2007115046.tif 000008
【図７】
2007115046.tif 000009
【図８】
2007115046.tif 000010
【図９】
2007115046.tif 000011